(57)【特許請求の範囲】
【請求項１】
液透過性の表面層と、粘着部を有する液不透過性の裏面層と、前記表面層と前記裏面層との間に設けられた吸収体とを有する吸収性物品と、
使用時に前記吸収性物品から取り除かれるシート部材であって、少なくとも一部分が、前記表面層を内側にして折り畳まれた前記吸収性物品の内側に設けられたシート部材と、
折り畳まれた前記吸収性物品を包装する包装材と、
を備える吸収性物品包装体において、
前記一部分には、香料が付着した賦香領域が設けられていることを特徴とする吸収性物品包装体。
【請求項２】
請求項１に記載の吸収性物品包装体において、
前記吸収性物品は、長さ方向と、それに直交する幅方向を有し、開封時に前記幅方向に延出する羽部を有しており、
前記羽部が前記表面層を内側にして折り畳まれた状態で、前記羽部の粘着部に接触しない領域に、前記賦香領域が設けられることを特徴とする吸収性物品包装体。
【請求項３】
請求項２に記載の吸収性物品包装体において、
前記シート部材の第１面は前記羽部の粘着部に接触した領域を有し、
前記賦香領域は、前記シート部材の前記第１面の反対側の面である第２面に設けられることを特徴とする吸収性物品包装体。
【請求項４】
請求項３に記載の吸収性物品包装体において、
前記第２面のうち、前記羽部の粘着部と前記第１面とが接触した前記領域の反対側に位置する部分には、前記賦香領域が設けられないことを特徴とする吸収性物品包装体。
【請求項５】
請求項１から４のいずれかに記載の吸収性物品包装体において、
前記シート部材が折り畳まれることによって、前記シート部材が重なり合った重なり領域が形成され、
前記賦香領域が、前記重なり領域の内側に設けられることを特徴とする吸収性物品包装体。
【請求項６】
請求項５に記載の吸収性物品包装体において、
前記包装材が折り返されることによって、前記包装材の端部に折り返し部が形成され、
前記折り返し部が前記重なり領域の内側に設けられることを特徴とする吸収性物品包装体。
【請求項７】
請求項１から６のいずれかに記載の吸収性物品包装体において、
折り畳まれた前記吸収性物品の重なり合った重なり方向を上下方向とした場合、
前記シート部材の前記一部分の上方向の面に前記賦香領域が設けられており、
前記包装材の第１領域の上方向に前記吸収性物品の第１領域が配置され、
前記吸収性物品の第１領域の上方向に前記シート部材の前記一部分が配置され、
前記一部分の上方向に前記包装材の前記第１領域とは異なる第２領域が配置され、
前記包装材の第２領域の上方向に前記吸収性物品の前記第１領域とは異なる第２領域が配置され、
前記吸収性物品の第２領域の上方向に前記包装材の前記第１領域及び前記第２領域とは異なる第３領域が配置されることを特徴とする吸収性物品包装体。
【請求項８】
請求項１から７のいずれかに記載の吸収性物品包装体において、
前記シート部材と前記包装材とを接着する接着部に接触しない領域に、前記賦香領域が設けられることを特徴とする吸収性物品包装体。
【発明の詳細な説明】
【技術分野】
【０００１】
本発明は、吸収性物品包装体に関する。
【背景技術】
【０００２】
生理用ナプキン等の吸収性物品を折り畳んだ状態で包装材によって個別に包装した吸収性物品包装体（以下、生理用ナプキン包装体と呼ぶ。）がある。このような生理用ナプキン包装体の所定の部分に香りを付する（賦香する）ことにより、使用者にリラックス感を与えたり気分転換させたりする方法が知られている。例えば、特許文献１では、賦香した剥離シート（セパレーター）に香料を塗布することにより、生理用ナプキン包装体に賦香する技術が開示されている。
【先行技術文献】
【特許文献】
【０００３】
【特許文献１】特開２００７−２５２８８６号公報
【発明の概要】
【発明が解決しようとする課題】
【０００４】
しかし、特許文献１では、賦香した剥離シートが生理用ナプキンの外側にあるため、外部に香りが移りやすくなる場合があり、香りが使用前に揮発したり、使用者が鞄等に入れて搬送している際に使用者の鞄等に付着してしまうという問題を生じる。
【０００５】
本発明は、上記のような問題に鑑みてなされたものであって、吸収性物品包装体の香りを外部に移りにくくさせて、使用前に香りが揮発することを軽減させ、使用者の鞄等に香りが付着してしまうことを防ぐことを目的とする。
【課題を解決するための手段】
【０００６】
上記目的を達成するための主たる発明は、
液透過性の表面層と、粘着部を有する液不透過性の裏面層と、前記表面層と前記裏面層との間に設けられた吸収体とを有する吸収性物品と、使用時に前記吸収性物品から取り除かれるシート部材であって、少なくとも一部分が、前記表面層を内側にして折り畳まれた前記吸収性物品の内側に設けられたシート部材と、
折り畳まれた前記吸収性物品を包装する包装材と、を備える吸収性物品包装体において、前記一部分には、香料が付着した賦香領域が設けられていることを特徴とする吸収性物品包装体である。
本発明の他の特徴については、本明細書及び添付図面の記載により明らかにする。
【発明の効果】
【０００７】
本発明によれば、折り畳まれた生理用ナプキン包装体の内側に賦香させ、折り畳まれた生理用ナプキンから賦香領域が露出しないため、香りの揮発を軽減させ、鞄に香りが移りにくくすることができる。
【図面の簡単な説明】
【０００８】
【図１】生理用ナプキン包装体１の構成を説明する分解斜視図である。
【図２】図２Ａ〜図２Ｃは、第１実施形態における生理用ナプキン包装体１の折り畳み方について説明する図である。
【図３】図３Ａ及び図３Ｂは、第１実施形態における賦香部５１について説明する図である。
【図４】図４は、第１実施形態の変形例１について説明する図である。
【図５】図５Ａ〜図５Ｃは、第１実施形態の変形例２における生理用ナプキン包装体１の折り畳み方について説明する図である。
【図６】図６Ａ及び図６Ｂは、第１実施形態の変形例２における賦香部５１について説明する図である。
【図７】図７Ａ〜図７Ｃは、第２実施形態における生理用ナプキン包装体１の折り畳み方について説明する図である。
【図８】図８Ａ及び図８Ｂは、第２実施形態における賦香部５１について説明する図である。
【図９】図９Ａ及び図９Ｂは、第３実施形態における賦香部５１について説明する図である。
【図１０】図１０Ａ及び図１０Ｂは、第４実施形態における賦香部５１について説明する図である。
【図１１】図１１Ａ〜図１１Ｄは、第５実施形態における生理用ナプキン包装体１の折り畳み方について説明する図である。
【図１２】図１２は、第５実施形態における賦香部５１について説明する図である。
【発明を実施するための形態】
【０００９】
本明細書及び添付図面の記載により、少なくとも以下の事項が明らかとなる。
液透過性の表面層と、粘着部を有する液不透過性の裏面層と、前記表面層と前記裏面層との間に設けられた吸収体とを有する吸収性物品と、使用時に前記吸収性物品から取り除かれるシート部材であって、少なくとも一部分が、前記表面層を内側にして折り畳まれた前記吸収性物品の内側に設けられたシート部材と、折り畳まれた前記吸収性物品を包装する包装材と、を備える吸収性物品包装体において、前記一部分には、香料が付着した賦香領域が設けられていることを特徴とする吸収性物品包装体。
【００１０】
このような吸収性物品包装体によれば、折り畳まれた吸収性物品の内側に賦香させ、折り畳まれた吸収性物品から賦香領域が露出しないため、香りの揮発を軽減させ、鞄に香りが移りにくくすること可能となる。
【００１１】
かかる吸収性物品包装体であって、前記吸収性物品は、長さ方向と、それに直交する幅方向を有し、開封時に前記幅方向に延出する羽部を有しており、前記羽部が前記表面層を内側にして折り畳まれた状態で、前記羽部の粘着部に接触しない領域に、前記賦香領域が設けられることが望ましい。
【００１２】
このような吸収性物品包装体によれば、粘着部の粘着剤と香料が混ざることで生じる粘着力の低下を軽減することが可能となる。
【００１３】
かかる吸収性物品包装体であって、前記シート部材の第１面は前記羽部の粘着部に接触した領域を有し、前記賦香領域は、前記シート部材の前記第１面の反対側の面である第２面に設けられることが望ましい。
【００１４】
このような吸収性物品包装体によれば、粘着剤と香料が混ざる恐れを軽減することが可能となる。
【００１５】
かかる吸収性物品包装体であって、前記シート部材が折り畳まれることによって、前記シート部材が重なり合った重なり領域が形成され、前記賦香領域が、前記重なり領域の内側に設けられることが望ましい。
【００１６】
このような吸収性物品包装体によれば、折り畳まれたシート部材から賦香領域が露出しないため、より鞄に香りが移りにくく、香りの揮発を軽減することができる。
【００１７】
かかる吸収性物品包装体であって、折り畳まれた前記吸収性物品の重なり合った重なり方向を上下方向とした場合、前記シート部材の前記一部分の上方向の面に前記賦香領域が設けられており、前記包装材の第１領域の上方向に前記吸収性物品の第１領域が配置され、前記吸収性物品の第１領域の上方向に前記シート部材の前記一部分が配置され、前記一部分の上方向に前記包装材の前記第１領域とは異なる第２領域が配置され、前記包装材の第２領域の上方向に前記吸収性物品の前記第１領域とは異なる第２領域が配置され、前記吸収性物品の第２領域の上方向に前記包装材の前記第１領域及び前記第２領域とは異なる第３領域が配置されることが望ましい。
【００１８】
このような吸収性物品包装体によれば、シート部材の下方向の面が吸収性物品と包装材に覆われているのに比べて、シート部材の上方向の面の賦香領域は、吸収性物品と包装材に加えてさらにもう一層分の包装材に覆われているため、より多くの部材で賦香領域が覆われることとなり、より鞄に香が移りにくく、香りの揮発を防ぐことができることが可能となる。
【００１９】
かかる吸収性物品包装体であって、前記シート部材と前記包装材とを接着する接着部に接触しない領域に、前記賦香領域が設けられることが望ましい。
【００２０】
このような吸収性物品包装体によれば、シート部材と包装材とを接着している接着剤と香料が混ざることで生じる接着力の低下を軽減することが可能となる。
【００２１】
＝＝＝第１実施形態＝＝＝
＜生理用ナプキン包装体の構成＞
吸収性物品が個別に包装された個装体の一例として、生理用ナプキン包装体１について説明する。なお、以下の説明では吸収性物品の例として生理用ナプキンについて説明するが、本実施形態の吸収性物品には、所謂おりものシート（例えばパンティライナー）等も含まれており、生理用ナプキンに限定されるものではない。図１は、生理用ナプキン包装体１の構成を説明する分解斜視図である。図２Ａ〜図２Ｃは、第１実施形態における生理用ナプキン包装体１の折り畳み方について説明する図である。図３Ａ〜図３Ｃは、第１実施形態における賦香部５１について説明する図である。
【００２２】
生理用ナプキン包装体１は、生理用ナプキン１０と、包装シート２０と、セパレーター３０と、シート部材５０とを有する。以下の説明では、図１に示すように、各方向を定義する。すなわち、生理用ナプキン１０の製品長手方向に沿った方向を「長さ方向」とする。長さ方向は「前側」と「後側」を有する。この「前側」は生理用ナプキン１０の使用時において使用者の腹側となる方向であり、「後側」は生理用ナプキン１０の使用時において使用者の背側となる方向である。また、長さ方向と直交する方向で製品幅方向に沿った方向を「幅方向」とする。さらに、生理用ナプキンの重なり合った重なり方向を「上下方向」（図２等）とする。上下方向は、「上側」と「下側」を有する。この「上側」は生理用ナプキン１０の使用時において使用者の肌側となる方向であり、「下側」は使用者の非肌側となる方向をいう。
【００２３】
図１に示されるように、生理用ナプキン包装体１は、下から順に包装シート２０、セパレーター３０、生理用ナプキン１０、シート部材５０が重ねて配置されている。そして、この状態で、図２Ａ〜図２Ｃに示されるように、生理用ナプキン１０を内側にして折り畳むことにより、生理用ナプキン１０が個別に包装された生理用ナプキン包装体１が形成される。生理用ナプキン包装体１の折り畳み方の詳細については後で説明する。なお、本実施形態においては包装シート２０とセパレーター３０とで包装材４０を構成することとしているが、セパレーター３０は必須の構成要素ではなく、包装シート２０のみを包装材４０とすることもできる。
【００２４】
（生理用ナプキン１０）
生理用ナプキン１０（以下、単に「ナプキン１０」とも呼ぶ）は、液体を吸収する吸収体１１と、使用者の肌側から吸収体１１を覆う表面層１２と、使用者の非肌側から吸収体１１を覆う裏面層１３と、表面層１２及び裏面層１３の長さ方向中央部付近で幅方向両端部から外側に延出してなる羽部１５とを有する。
【００２５】
吸収体１１は、長さ方向に沿って長い縦長の部材であり、親水性繊維やパルプ等を含み、体液等の液体を効率的に吸収・保持することができる。吸収体１１は、親水性繊維又は紛体をエアレイド法によって積層して形成されても良いし、親水性繊維又は紛体をエアレイド法によってシート状に成形したエアレイドシートであっても良い。
【００２６】
表面層１２は、体液等の液体を透過させる液透過性のシート部材であり、例えば不織布によって形成される。ただし、液体を透過する構造のシート部材であり、かつ、ナプキン１０の使用時において使用者の肌と当接する際に安全な部材であれば特に材料の制限はない。例えば、織布やメッシュシートであっても良い。表面層１２は長さ方向及び幅方向において吸収体１１よりも大きく、吸収体１１の全領域を覆うことができる。
【００２７】
裏面層１３は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。裏面層１３が非液透過性であることから、ナプキン１０の使用時において表面層１２を透過して吸収体１１によって吸収された液体が下着等の着衣側（非肌側）に染み出すことが抑制される。裏面層１３は、表面層１２とほぼ同一の形状であり、ナプキン１０の使用時において使用者に違和感を生じさせない程度の柔軟性を有することが望ましい。
【００２８】
また、裏面層１３の上下方向下側には粘着部１３１が形成されている。粘着部１３１は、ナプキン１０の使用時においてナプキン１０を使用者の下着に貼付して位置がずれないようにする機能を有する部位である。
【００２９】
羽部１５は、その上下方向下側の裏面層１３側に羽部粘着部１５１が形成されている。ナプキン１０の粘着部１３１を下着の股下部内側に貼付した後、羽部１５が下側へ折り返され、使用者の下着の股下部分の端に羽部粘着部１５１により貼付される。こうして、羽部１５は、使用者の下着の股下部の端と太ももの間に配置される。羽部１５は、生理用ナプキン１０の必須の構成ではないが、羽部１５を用いることで、使用者の下着の端が汚れることから防ぎつつ、ナプキン１０が位置ずれせずに安定した着用をサポートすることができる。
【００３０】
粘着部１３１及び羽部粘着部１５１は、所定の領域にホットメルト接着剤（以下、ＨＭＡとも呼ぶ）等の接着剤を塗布することによって形成される。粘着部１３１及び羽粘着部１５１を形成するＨＭＡは、ナプキン１０の使用時においては、貼付部分が簡単に剥がれたり位置がずれたりしない程度に、また、ナプキン１０の使用後おいては、下着から取り外した際に下着側にＨＭＡが残らない（つまり、糊残りが生じない）程度の目付量で塗布されている。
【００３１】
ナプキン１０は、吸収体１１を上下方向に挟み込んだ状態で表面層１２と裏面層１３との周縁を接合することにより形成される。
【００３２】
（包装シート２０）
包装シート２０は、ナプキン１０を個別に包装するシート状の包装部材であり、ナプキン１０の使用時には取り外される部材である。包装シート２０の材料としては、例えば、プラスチックフィルム、ナイロンフィルム等の各種フィルムや、不織布、不織布をラミネート加工したフィルム等が用いられる。
【００３３】
本実施形態の包装シート２０は矩形状であり、ナプキン１０を折り畳む際には（図２参照）、当該ナプキン１０の全体を覆うことが可能な程度の大きさを有する。
【００３４】
（セパレーター３０）
セパレーター３０は、ナプキン１０の裏面層１３に形成された粘着部１３１と、包装シート２０との間に配置されるシート状の部材である（図３Ａ等）。セパレーター３０は、剥離面３１で粘着部１３１を介してナプキン１０の裏面層１３と対向し、剥離面３１の反対側の面で包装シート２０と接着されている。
【００３５】
剥離面３１は、シリコン樹脂等を用いて剥離加工が施されており、ナプキン１０の粘着部１３１に対して剥離可能に貼付されている。剥離加工については公知であるため説明を省略する。
【００３６】
ナプキン１０の粘着部１３１と包装シート２０との間にセパレーター３０が配置されることにより、ナプキン１０の使用前において粘着部１３１を形成する接着剤（例えばＨＭＡ）が包装シート２０に付着することや、粘着部１３１の粘着性が弱くなることが抑制されると共に、粘着部１３１が保護される。そして、ナプキン１０を使用する際には、ナプキン１０から包装シート２０を引き剥がすことにより、包装シート２０に接着されたセパレーター３０を包装シート２０と共に離脱させ、粘着部１３１を簡単に露出させることができる。
【００３７】
なお、包装シート２０が剥離加工されている等、ナプキン１０の粘着部１３１に対して包装シート２０を剥離可能に貼付することができる場合には、必ずしもセパレーター３０が設けられていなくても良い。
【００３８】
（シート部材５０）
シート部材５０は、ナプキン１０の上に配置されたシート部材である（図１等）。本実施形態におけるシート部材５０の大きさは、羽部１５を折り畳んだナプキン１０の幅より短く、第１折り目Ｆ１と第２折り目Ｆ２（下記参照）の間より短い長さである。また、シート部材５０は、香料を付着させた（賦香）領域である賦香部５１を有している。
【００３９】
さらに、シート部材５０は、セパレーター３０と同様の剥離加工が施されているものを用いることで、羽部１５の裏面層側に配置された羽部粘着部１５１を保護する機能も備えることができる。これにより、羽部粘着部１５１に対してシート部材５０を剥離可能に貼付して、羽部粘着部１５１の接着剤（ＨＭＡ等）が他の部分に付着することを抑制するとともに、羽部粘着部１５１の表面を保護することができる。
【００４０】
＜生理用ナプキン包装体１の折り畳み方＞
続いて、生理用ナプキン包装体１の折り畳み方について図２Ａ〜図２Ｃを用いて説明する。図２Ａは、羽部１５が折り畳まれ、羽部粘着部１５１が上下方向の上側（肌側）に露出した状態で、長さ方向に展開した状態の生理用ナプキン包装体１を表す図である。長さ方向に展開した状態の生理用ナプキン包装体１では、上述したように下から包装シート２０、セパレーター３０、ナプキン１０、シート部材５０が重ねて配置されている。また、図２Ａに示されるように、包装シート２０の長さ方向の端縁部について、長さ方向前側端部を２０ｅａ、長さ方向後側端部を２０ｅｂとする。
【００４１】
本実施形態において生理用ナプキン包装体１には、幅方向に沿った第１折り目Ｆ１及び第２折り目Ｆ２が設けられている。第１折り目Ｆ１は、ナプキン１０の長さ方向の中央よりも後側に配置されており、当該第１折り目Ｆ１を基点として包装シート２０、セパレーター３０、及び、ナプキン１０が一緒に折り曲げられる。第２折り目Ｆ２は、ナプキン１０の長さ方向の中央よりも前側に配置されており、当該第２折り目Ｆ２を基点として包装シート２０、セパレーター３０、及び、ナプキン１０が一緒に折り曲げられる。
【００４２】
図２Ｂは、生理用ナプキン包装体１の折り畳み方について説明する図である。まず、ナプキン１０の表面層１２が内側となるように、長さ方向に展開した状態の生理用ナプキン包装体１が第１折り目Ｆ１を基点として折り曲げられる。すなわち、包装シート２０の長さ方向後側端部２０ｅｂが第１折り目Ｆ１と第２折り目Ｆ２との間の領域に位置するように、生理用ナプキン包装体１が長さ方向に折り畳まれる。これにより、折り畳まれた部分においてナプキン１０の表面層１２同士がシート部材５０を介して対向する位置関係となる。続いて、ナプキン１０の表面層１２が内側となるように、生理用ナプキン包装体１が第２折り目Ｆ２を基点として折り曲げられる。すなわち、包装シート２０の長さ方向前側端部２０ｅａが第１折り目Ｆ１と第２折り目Ｆ２との間の領域に位置するように、生理用ナプキン包装体１が長さ方向に折り畳まれる。
【００４３】
図２Ｃは、折り畳まれた状態の生理用ナプキン包装体１を表す図である。生理用ナプキン包装体１は、第１折り目Ｆ１及び第２折り目Ｆ２を基点として折り畳まれることにより、図２Ｃに示されるようにナプキン１０が包装シート２０によって覆われた状態となり、シート部材５０が露出することなく、生理用ナプキン包装体１の内側に収められる。この状態で、包装シート２０の幅方向両端部が長さ方向に沿ってシールされ、シール領域２７が形成される。シール領域２７は、超音波溶着や熱溶着等の公知のシール手段を用いて形成される。これにより、折り畳まれた包装シート２０同士が幅方向両端部にて接合され、生理用ナプキン包装体１は図２Ｃのように折り畳まれた状態で維持される。また、包装シート２０の幅方向中央部には、長さ方向前側端部２０ｅａを跨ぐように固定テープ２８が貼付される。固定テープ２８は包装シート２０の外面に対して剥離可能に貼付されており、ナプキン１０の使用前に包装シート２０が剥がれたり、生理用ナプキン包装体１が展開してしまったりすることを抑制する。このため、シート部材５０の賦香部５１の香料の揮発を軽減させ、外部に香りが移ることを抑制することができる。
【００４４】
使用者がナプキン１０を使用する際には、まず、固定テープ２８を剥がし、シール領域２７によってシールされている部分を引き剥がすようにして生理用ナプキン包装体１を図２Ａの状態に展開する。このとき、シート部材５０が現れ、使用者はシート部材５０に賦香させた香料の香りを感じることができる。そして、ナプキン本体１０に対して包装シート２０を反対側に引っ張ることにより、ナプキン１０から包装シート２０及びセパレーター３０を離脱させる。これにより、ナプキン１０の裏面層１３及び粘着部１３１が露出し、ナプキン１０が使用可能な状態となる。
【００４５】
＜賦香部５１について＞
本実施形態では、生理用ナプキン包装体１が折り畳まれた状態（図２Ｃの状態）において、所定の領域に香料を付着させた（賦香した）賦香部５１を設けたシート部材５０が、ナプキン１０の中央部に配置されている。すなわち、ナプキン１０の折り畳まれた羽部粘着部１５１を覆うように、第１折り目Ｆ１と第２折り目Ｆ２の間にシート部材５０が配置されている。
【００４６】
本実施形態においては、生理用ナプキン包装体１が折り畳まれた状態（図２Ｃの状態）において、シート部材５０の露出がない状態となる。すなわち、賦香部５１は生理用ナプキン包装体１の開封時までナプキン１０や包装材４０（包装シート２０及びセパレーター３０）で覆われているため、香料の揮発を軽減することができ、外部に香りが移ることを軽減することができる。特に、包装シート２０の材料としてフィルムや、ＳＭＳ不織布（スパンボンド-メルトブローン-スパンボンド不織布）を用いた場合には、顕著な効果を得ることができる。フィルムの表面や、ＳＭＳ不織布のメルトブローン層は香料の粒子を透過させにくい性質を有するためである。なお、シート部材５０に賦香する（香料を付着させる）方法としては、例えば、インクジェットプリンター等の液体吐出装置を用いて香料を含む液体（例えば香料インク）をシート部材５０の表面に塗布する方法が挙げられる。
【００４７】
シート部材５０のうち賦香部５１を形成させる領域について注意を要する。シート部材５０の一部の領域は、折り畳まれた羽部１５の羽部粘着部１５１と接触している。羽部粘着部１５１には、ＨＭＡ等の接着剤が塗布されているが、このＨＭＡ等が賦香部５１の香料と接触すると、ＨＭＡを構成する樹脂と香料に含まれるオイル成分とが反応してＨＭＡの接着強度を低下させ、羽部粘着部１５１をしっかりと下着に貼付することができなくなるおそれがある。また、ＨＭＡが羽部粘着部１５１から離脱して下着に付着する「糊残り」が生じ、下着を汚してしまうおそれもある。したがって、本実施形態では、賦香部５１を、シート部材５０のうち、羽部粘着部１５１と接触しない領域に設ける。
【００４８】
図３Ａは、生理用ナプキン包装体１を上下方向上側から見た平面図であり、図３Ｂは、図３ＡのＡ−Ａ断面について表した概略断面図である。この場合、シート部材５０の上面５０ａには羽部粘着部１５１と接触する領域がない。このため、シート部材５０の上面５０ａには、その全面において上面賦香部５１ａを設けることができる。一方、シート部材５０の下面５０ｂは、羽部粘着部１５１と接触する領域を有するため、下面５０ｂのうち羽部粘着部１５１と重複する領域に賦香部５１を形成すると、羽部粘着部１５１のＨＭＡ等と香料とが混ざり、粘着力低下の原因となる。そこで、下面５０ｂのうち、羽部１５と重ねたときに羽部粘着部１５１と接触しない領域に下面賦香部５１ｂを形成する。これにより、羽部粘着部１５１のＨＭＡ等と賦香部５１の香料が混ざることを回避することができる。
【００４９】
なお、本実施形態において、羽部粘着部１５１と接触している部分を除いたシート部材５０の全ての領域に賦香部５１が形成されるのであっても良いし、賦香部５１が、部分的に形成されるのであってもよい。また、賦香部５１を形成する香料は、所謂「ベタ塗り」された状態である必要はなく、ドット状や線状に香料が付着され、そのようなドットや線が複数集合することにより賦香部５１が形成されるのであっても良い。この場合、単位面積あたりに付着させる香料の量を調整しやすくなるため、生理用ナプキン包装体１において領域毎に香りの強さを調整すること等が可能となる。
【００５０】
さらに、シート部材５０の下面５０ｂには下面賦香部５１ｂを設けないこととしてもよい。シート部材５０の上面５０ａは、羽部粘着部１５１と接触する領域がないため、上面５０ａに上面賦香部５１ａを設けることができる。一方、下面５０ｂは、羽部粘着部１５１と接触する領域を有しているため、羽部粘着部１５１と隣接するように下面賦香部５１ｂを形成すると、羽部粘着部１５１と重ねられるシート部材５０の位置がずれた場合に羽部粘着部１５１の接着剤と香料とが混ざる恐れがある。そこで、下面賦香部５１ｂを形成しないこととすることで、羽部粘着部１５１の接着剤と香料とが混ざる恐れをより軽減させ、粘着力低下を抑制することができる。
【００５１】
図４は、第１実施形態の変形例１について説明する図である。基本的な構成は、第１実施形態と同様である。しかし、図４に示すように、下面５０ｂに賦香部５１を形成しないこととし、さらに、下面５０ｂと羽部粘着部１５１とが接触している部分の真裏にあたる上面５０ａの領域にも賦香部５１を形成しないこととする。これにより、シート部材５０の上面５０ａに塗布した香料が含浸した（染み込んだ）としても下面５０ｂと接触している羽部粘着部１５１に香料は達しないため、香料と接着剤とが混ざる恐れを軽減することができる。
【００５２】
第１実施形態の変形例２として、図５Ａ〜図５Ｃに、第１実施形態の変形例２の生理用ナプキン包装体１の折り畳み方について、図６Ａ及び図６Ｂに、第１実施形態の変形例２における賦香部５１について説明する図を示す。基本的な構成は第１実施形態と同様である。しかし、第１実施形態の包装シートより、長さ方向に長い包装シート２０を用いる点、及びシート部材５０の上面５０ａのうち前側の領域に賦香部５１を形成する点が異なる。
【００５３】
図５Ａは、羽部１５が折り畳まれ、羽部粘着部１５１の上下方向の上側にシート部材５０が重ねられた状態で、長さ方向に展開した状態の生理用ナプキン包装体１を表す図である。生理用ナプキン包装体１は、第１実施形態と同様に包装シート２０、セパレーター３０、ナプキン１０、シート部材５０が重ねて配置されており、第１折り目Ｆ１及び第２折り目Ｆ２が設けられている。
【００５４】
図５Ｂは、生理用ナプキン包装体１の折り畳み方について説明する図である。第１実施形態と同様に、まず、第１折り目Ｆ１を基点として展開状態の生理用ナプキン包装体１が折り曲げられる。このとき、ナプキン１０の長さより長い包装シート２０により、包装シート２０の長さ方向後側端部２０ｅｂはシート部材５０より前側で、第２折り目Ｆ２の後側に位置する。続いて、第２折り目Ｆ２を基点として、第１実施形態と同様に、生理用ナプキン包装体１を折り曲げる。
【００５５】
図５Ｃは、折り畳まれた状態の生理用ナプキン包装体１を表す図である。生理用ナプキン包装体１は、第１実施形態と同様に折り畳まれた状態で維持される。このとき、シート部材５０は、露出することなく、生理用ナプキン包装体１の内側に収められている。
【００５６】
図６Ａは、図５Ａの生理用ナプキン包装体１を上下方向上側から見た平面図である。シート部材５０は、前述の実施形態と同様に羽部粘着部１５１を保護する役目も担い、生理用ナプキン包装体１の中央付近で、羽部粘着部１５１を覆う場所に位置している。そして、シート部材５０の上面５０ａのうち羽部粘着部１５１より長さ方向前側の領域に賦香部５１を設ける。図５Ｂで示すように、第１折り目Ｆ１を基点に折り畳むと、包装シート２０の長さ方向後側端部２０ｅｂが第２折り目Ｆ２に近くに位置して、賦香部５１を包装シート２０が覆う。
【００５７】
図６Ｂは、図５ＣのＡ−Ａ断面について表した概略断面図である。図６Ｂにおいて、上下方向Ｘは、下から順に包装シート２０、セパレーター３０、ナプキン１０、シート部材５０、賦香部５１、包装シート２０、ナプキン１０、セパレーター３０、包装シート２０の順に配置されている（粘着部１３１を除く）。第１実施形態で、賦香部５１の上にナプキン１０の表面層１２が位置していたのと異なり、賦香部５１の上に包装シート２０を配置させている。このため、賦香部５１が直接ナプキン１０の表面層１２に触れる領域が減少する。これにより、羽部粘着部１５１のＨＭＡ等と香料が混ざることを防ぎつつ、直接香料が付着していない安全なナプキン１０を提供することができる。さらに、包装シート２０で覆われた賦香部５１は、第２折り目Ｆ２で折り畳まれたナプキン１０及び包装シート２０で覆われるため（図６Ｂ参照）、賦香部５１に付着させた香りが使用者の鞄等に付着することを防ぎ、生理用ナプキン包装体１の開封前に香料が揮発することを軽減することができる。
【００５８】
＝＝＝第２実施形態＝＝＝
図７Ａ〜図７Ｃは、第２実施形態における生理用ナプキン包装体１の折り畳み方について説明する図である。図８Ａ及び図８Ｂは、第２実施形態における賦香部５１について説明する図である。基本的な構成は、第１実施形態と同様であるが、第２実施形態においては、包装シート２０の長さ方向の長さが、変形例２で用いた包装シート２０より長いものを用いており、第１折り目Ｆ１から長さ方向後側端部２０ｅｂまでの長さが、第１折り目Ｆ１から第２折り目Ｆ２までの長さより長い。また、シート部材５０を第２折り目Ｆ２上に被さるように配置させる。
【００５９】
図７Ａは、羽部１５が折り畳まれ、羽部粘着部１５１が上下方向の上側にシート部材５０が重ねられた状態で、長さ方向に展開した状態の生理用ナプキン包装体１を表す図で、生理用ナプキン包装体１は、包装シート２０、セパレーター３０、ナプキン１０、シート部材５０が重ねて配置されており、第１折り目Ｆ１及び第２折り目Ｆ２が設けられている。
【００６０】
図７Ｂは、生理用ナプキン包装体１の折り畳み方について説明する図である。まず、第１折り目Ｆ１を基点として展開状態の生理用ナプキン包装体１が折り曲げられる。このとき、折り曲げられた包装シート２０の、第１折り目Ｆ１から長さ方向後側端部２０ｅｂまでの長さが、第１折り目Ｆ１から第２折り目Ｆ２までの長さより長く、シート部材５０は、第２折り目上に被さるように配置している。このため、次に、生理用ナプキン包装体１が第２折り目Ｆ２を基点として折り曲げられると、上下方向下側から包装シート２０、セパレーター３０、ナプキン１０、シート部材５０、及び包装シート２０が一緒に折り曲げられる。
【００６１】
図７Ｃは、折り畳まれた状態の生理用ナプキン包装体１を表す図である。生理用ナプキン包装体１は、第１実施形態と同様に折り畳まれた状態で維持される。このとき、シート部材５０は、露出することなく、生理用ナプキン包装体１の内側に収められている。
【００６２】
図８Ａは、図７Ａの生理用ナプキン包装体１を上下方向上側から見た平面図であり、図８Ｂは、図７ＣのＡ−Ａ断面について表した概略断面図である。第２実施形態においても、第１実施形態と同様に、シート部材５０は、羽部粘着部１５１の保護する役目を担い、羽部粘着部１５１を完全に覆っている。そして、シート部材５０の上面５０ａのうち羽部粘着部１５１より長さ方向前側の領域であって、第２折り目Ｆ２を基点に折り畳んだときに一緒に折り畳まれたシート部材５０の重なり合う領域（重なり領域）の内側に賦香部５１が設けられている。重なり領域とは、図８Ａ及び図８Ｂに示すように、折り畳まれたシート部材５０の上面５０ａ同士が上下方向に向かい合う領域をいう。これにより、折り畳まれたシート部材５０から賦香部５１が露出しにくくなるため、使用者等の鞄に香りが移ったり、香りが揮発したりすることをより軽減することができる。
【００６３】
重なり領域のうち、図８ＢのＸの位置では、下から順に包装シート２０、セパレーター３０、ナプキン１０、シート部材５０、賦香部５１、包装シート２０、賦香部５１、シート部材５０、ナプキン１０、セパレーター３０、包装シート２０の順に配置されている（粘着部１３１を除く）。第２実施形態においては、第１折り目Ｆ１から長さ方向後側端部２０ｅｂまでの長さが、第１折り目Ｆ１から第２折り目Ｆ２までの長さより長いため（図７Ｂ）、折り畳まれたシート部材５０の重なり領域の内側に折り畳まれた包装シートが配置されている（図７Ｂ）。これにより、賦香部５１がシート部材５０及び包装シート２０により覆われるため、使用者等の鞄に香りが移ったり、香りが揮発したりすることをより軽減することができる。
【００６４】
このとき、賦香部５１は、図８Ｂに示すように、包装シート２０を挟んだシート部材５０の重なり領域全面に設けてもよく、また、包装シート２０の重なり領域の一部にのみに形成してもよい。
【００６５】
＝＝＝第３実施形態＝＝＝
図９Ａは、第３実施形態における生理用ナプキン包装体１を上下方向上側から見た平面図であり、図９Ｂは、図９ＡのＡ−Ａ断面について表した概略断面図である。基本的な構成は、第１実施形態の構成と同様であるが、第３実施形態においては、羽部１５を有しないナプキン１０を用いる。
【００６６】
第３実施形態のシート部材５０は、羽部粘着部１５１の保護機能を有する必要がないため、剥離加工を施さなくてもよい。そのため、シート部材５０の材質についても香料の付着に適したものを用いればよい。また、図９Ａ及び図９Ｂに示すように、第３実施形態においては、シート部材５０の上面５０ａおよび下面５０ｂの両方に賦香部５１（上面賦香部５１ａ、下面賦香部５１ｂ）を設けることができる。
【００６７】
第３実施形態のように、ナプキン１０が羽部１５を有しない場合や、羽部粘着部１５１の保護機能を必要としない場合は、シート部材５０の両面及び全面に賦香部５１を設けることができる。これにより、極めて簡単な構成で、生理用ナプキン包装体１に香りをつけることができ、香りの揮発を軽減し、外部に香りが移ることを軽減させることができる。
【００６８】
＝＝＝第４実施形態＝＝＝
図１０Ａは、第４実施形態における生理用ナプキン包装体１を上から見た平面図であり、図１０Ｂは、図１０ＡのＡ−Ａ断面について表した概略断面図である。基本的な構成は、第１実施形態の構成と同様であるが、第４実施形態においては、ナプキン１０は羽部１５を有しており、シート部材５０が、セパレーター３０と接着された状態で、シート部材５０の一部分が羽部粘着部１５１を覆いつつ、その一部分は、ナプキン１０の表面層１２を内側に折り畳んだ時に、羽部１５又は羽部粘着部１５１と、ナプキン１０の表面層１２との間に位置する。シート部材５０のその他の部分は、ナプキン１０の裏面層１３側に配置されている（図１０Ａ及び図１０Ｂ参照）。
【００６９】
第４実施形態において、賦香部５１を、表面層１２を内側にして折り畳まれたナプキン１０の内側に位置するシート部材５０の一部分に設けることとする。具体的には、羽部１５及び羽部粘着部１５１の上側に位置するシート部材５０の一部分に賦香部５１を形成し、賦香部５１をナプキン１０の表面層１２で覆うこととする。これにより、賦香部５１は、折り畳まれた状態の生理用ナプキン包装体から露出せず、香料の揮発や使用者等の鞄等に香りが移ることを抑制することができる。
【００７０】
また、このとき、シート部材５０の一部分のうち上面５０ａにのみ賦香部を設けることが好ましい（図１０Ａ及び図１０Ｂ）。羽部粘着部１５１のＨＭＡ等と香料とが混ざることを抑制することができる。さらに、羽部粘着部１５１と接触している下面５０ｂの真裏に該当する上面５０ａ以外の領域に賦香部５１を設けることがより好ましい。香料の含浸が生じたとしても、羽部粘着部１５１のＨＭＡ等と香料が混ざることがないので、羽部粘着部１５１の粘着力低下をより軽減させることができるためである。
【００７１】
＝＝＝第５実施形態＝＝＝
図１１Ａ〜図１１Ｄは、第５実施形態における生理用ナプキン包装体１の折り畳み方について説明する図である。図１２は、第５実施形態における賦香部５１について説明する図である。基本的な構成は、第１実施形態の構成と同様であるが、第５実施形態においては、包装シート２０と接着された、賦香部５１を有するシート部材５０を用いる。また、ナプキン１０は、羽部１５を有しており、シート部材５０は、生理用ナプキン包装体１を折り畳む際に、羽部粘着部１５１の保護シートとして用いられる。
【００７２】
図１１Ａは、羽部１５が折り畳まれ、羽部粘着部１５１が上下方向上側の肌側に露出した状態で、長さ方向に展開した状態の生理用ナプキン包装体１を表す図である。第５実施形態の生理用ナプキン包装体１では、第１折り目Ｆ１及び第２折り目Ｆ２に加えて、幅方向に沿った第３折り目Ｆ３が第１折り目Ｆ１より長さ方向後側に設けられている。第３折り目Ｆ３は、第１折り目Ｆ１や第２折り目Ｆ２と同様に包装シート２０、セパレーター３０、及び、ナプキン１０が一緒に折り曲げられる。また、包装シート２０の第３折り目Ｆ３よりも長さ方向後側の領域に、シート部材５０が設けられている。このとき、シート部材５０の上面５０ａの一部の領域が接着部４１を介して包装シート２０の外側に接着されており、包装シート２０の長さ方向後側端部２０ｅｂから突出するように配置されている。これにより、ナプキン１０の使用時において、展開した状態の生理用ナプキン包装体１から包装シート２０を引き剥がすことにより、同時にシート部材５０もナプキン１０から容易に離脱させることができる。
【００７３】
図１１Ｂは、展開状態の生理用ナプキン包装体１を第３折り目Ｆ３にて折り畳む様子を表す図である。図１１Ｂに示されるように、ナプキン１０は、第３折り目Ｆ３を基点として表面層１２が内側になるように折り畳まれ、包装シート２０から突出したシート部材５０の上面ａはナプキン１０の表面層１２と重なるような位置関係となる。
【００７４】
続いて、図１１Ｃは、生理用ナプキン包装体１を図１１Ｂの状態から第１折り目Ｆ１にて折り畳む様子を表す図である。第３折り目Ｆ３を基点として折り畳まれたナプキン１０は、第１折り目Ｆ１を基点としてさらに折り畳まれ、シート部材５０の下面５０ｂが羽部１５の羽部粘着部１５１と重ね合される状態となる。すなわち、下面５０ｂの一部の領域が羽部粘着部１５１に貼付され、羽部粘着部１５１が保護される。そのため、下面５０ｂには、第１実施形態と同様の剥離加工が施されている。最後にナプキン１０の表面層１２が内側となるように生理用ナプキン包装体１が第２折り目Ｆ２を基点として折り畳まれる。
【００７５】
図１１Ｄは、第５実施形態の折り畳まれた状態の生理用ナプキン包装体１を表す図である。生理用ナプキン包装体１では、第１実施形態と同様に折り畳まれた状態で維持され、賦香部５１を、生理用ナプキン包装体１から露出させないことで、香りの揮発を防ぐことができる。
【００７６】
第１実施形態では、生理用ナプキン包装体１が第１折り目Ｆ１及び第２折り目Ｆ２の２箇所で折り畳まれているのに対して（図２参照）、第５実施形態では、生理用ナプキン包装体１が第１折り目Ｆ１〜第３折り目Ｆ３の３箇所で折り畳まれる。なお、このような折り畳み方は一例であり、生理用ナプキン包装体１が４箇所以上の折り目を有するように折り畳まれるのであっても良い。
【００７７】
図１２は、第５実施形態における賦香部５１について説明する図である。第５実施形態において、シート部材５０のうち、包装シート２０とシート部材５０との接着部４１以外の領域に賦香部５１を設けることとする。接着部４１の接着剤と香料が混ざることで生じる接着力低下を軽減させるためである。さらに、羽部粘着部１５１のＨＭＡ等と香料が混ざる恐れを減らすため、上面５０ａに賦香部５１を設けることがより好ましい（図１１及び図１２参照）。これにより、折り畳んだ際に、香料が羽部粘着部１５１と接触することにより生じる粘着力低下を軽減させることができる。
【００７８】
なお、第５実施形態においては、セパレーター３０とシート部材５０を別々に用いたが、シート部材５０とセパレーター３０とが一つの部品として形成され、セパレーター３０を兼ねたシート部材５０によって粘着部１３１と羽部粘着部１５１とが共に保護されるような構成であっても良い。
【００７９】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれる。例えば、以下に示すような変形が可能である。
【００８０】
＜賦香部の形成について＞
上述の実施形態では、シート部材５０に賦香部５１を形成する際に、インクジェットプリンター等の液体吐出装置を用いて香料を吐出することによりシート部材５０の所定の領域に香料を付着させる方法が説明されていたが、賦香部５１の形成方法はこの限りではない。例えば、刷毛等を用いてシート部材５０に香料を直接塗布する方法であっても良い。このような方法においても、シート部材５０の所定の領域に香料を付着させ、安定的に保持させることによって賦香部５１が形成される。
【００８１】
＜生理用ナプキン包装体１の折り畳み方法について＞
上述の実施形態では、幅方向に沿った複数の折り目を基点として生理用ナプキン包装体１が長さ方向に折り畳まれる例について説明されていたが、生理用ナプキン包装体１の折り畳み方はこの限りではない。例えば、生理用ナプキン包装体１が長さ方向に沿った折り目を基点として幅方向に折り畳まれるのであっても良いし、長さ方向及び幅方向の両方に折り畳まれるのであっても良い。
【００８２】
＜シート部材５０について＞
上述の実施形態では、シート部材５０は、ナプキン１０が羽部１５を有する場合には、羽部粘着部１５１の保護部材としても用いられているが、シート部材５０とは別の剥離シートを設けて羽部粘着部１５１を保護してもよい。また、シート部材５０の形状は上述の実施形態で説明された例には限られない。例えば、矩形等に限らず、円形や動物型等の様々な形状のシート部材を用いることができる。
【００８３】
＜香料の濃度について＞
上述の実施形態では、シート部材５０の所定の領域に香料を付着させることによって賦香部５１が形成されていたが、シート部材５０の単位面積当たりに付着する香料の量を領域毎に変更しても良い。すなわち、賦香部５１で領域毎に香料の濃度が異なるようにしても良い。例えば、シート部材５０において幅方向の内側ほど単位面積当たりの香料の付着量が多くなり（すなわち濃度が高くなり）、幅方向の外側ほど単位面積当たりの香料の付着量が少なくなる（すなわち濃度が低くなる）ように賦香部５１を形成する。このようにすれば、生理用ナプキン包装体１が折り畳まれた状態で、生理用ナプキン包装体１の外部に近い位置ほど香料の濃度が低くなり、生理用ナプキン包装体１の外部から遠い位置（すなわち内側）ほど香料の濃度が高くなるため、外部に香りが漏れにくくなり、鞄等に香りが移ることを抑制しやすくなる。
【００８４】
また、生理用ナプキン包装体１が折り畳まれた状態において、上下方向の内側となる領域ほど香料の濃度を高くなるようにしても良い。言い換えると、上下方向の外側よりも上下方向の内側の方が包装シート２０に付着する単位面積当たりの香料の量が多くなるようにしても良い。例えば、図１１に示されたシート部材５０は、上下方向に多数の部材（ナプキン１０、セパレーター３０、及び包装シート２０）が重なり合っていることから、その賦香部５１では外部に香りが漏れる可能性が低い。そこで、このような上下方向の内側の領域ほど香料の濃度が高くなるように賦香部５１を形成すると良い。
【００８５】
特に、上述の実施形態のようにインクジェットプリンターを用いて香料インクを吐出する方法であれば、賦香部５１を形成する際に、香料インクを吐出するノズル毎に濃度を変更することが可能であるため、所定の領域に所定の濃度で香料を付着させることができる。したがって、賦香部５１を形成する際に香料の濃度を調整することを容易に行うことができる。
【符号の説明】
【００８６】
１  生理用ナプキン包装体、
１０  生理用ナプキン、
１１  吸収体、１２  表面層、
１３  裏面層、１３１  粘着部、
１５  羽部、１５１  羽部粘着部、
２０  包装シート、２０ｅａ  長さ方向前側端部、２０ｅｂ  長さ方向後側端部、
２７  シール領域、２８  固定テープ、
３０  セパレーター、３１  剥離面
４０  包装材、４１  接着部
５０  シート部材、５０ａ  上面、５０ｂ  下面、
５１  賦香部、５１ａ  上面賦香部、５１ｂ  下面賦香部
【要約】
【課題】使用前に香りが揮発しにくく、使用者の鞄等に香りが付着することを軽減させた生理用ナプキン包装体を提供する。
【解決手段】液透過性の表面層と、粘着部を有する液不透過性の裏面層と、前記表面層と前記裏面層との間に設けられた吸収体とを有する生理用ナプキンと、使用時に前記生理用ナプキンから取り除かれるシート部材であって、少なくとも一部分が、前記表面層を内側にして折り畳まれた前記生理用ナプキンの内側に設けられたシート部材と、折り畳まれた前記生理用ナプキンを包装する包装材と、を備える生理用ナプキン包装体において、前記一部分には、香料が付着した賦香領域が設けられている。
【選択図】図３【図１】
0005842037.tif 000002
【図２】
0005842037.tif 000003
【図３】
0005842037.tif 000004
【図４】
0005842037.tif 000005
【図５】
0005842037.tif 000006
【図６】
0005842037.tif 000007
【図７】
0005842037.tif 000008
【図８】
0005842037.tif 000009
【図９】
0005842037.tif 000010
【図１０】
0005842037.tif 000011
【図１１】
0005842037.tif 000012
【図１２】
0005842037.tif 000013